(57)【特許請求の範囲】
【請求項１】
所定期間毎に連続する画像信号として入力される動画像信号を記録媒体に記録する処理を行うと共に、上記動画像信号の記録中に上記連続する画像信号から指定された１つの画像信号を静止画像信号として複数の上記所定期間に繰り返して上記記録媒体に記録する処理を行う記録処理手段と、
上記静止画像信号を繰り返し記録する間に入力される動画像信号から間欠的に画像信号を抽出して保持する画像保持手段と、
上記静止画像信号の記録終了後に、上記画像保持手段から読み出した間欠的な動画像信号を記録してから、連続的に入力される動画像信号を記録するように上記記録処理手段の記録動作を制御する制御手段とを備えた画像記録装置。
【請求項２】
所定期間毎に連続する画像信号として入力される動画像信号を記録媒体に記録する処理を行うと共に、上記動画像信号の記録中に上記連続する画像信号から指定された１つの画像信号を静止画像信号として複数の上記所定期間に繰り返して上記記録媒体に記録する処理を行う記録処理手段と、
上記静止画像信号を繰り返し記録する間に入力される動画像信号を保持する画像保持手段と、
上記静止画像信号の記録終了後に、上記画像保持手段に保持された動画像信号を用いて間欠的な動画像信号の記録を行ってから、連続的に入力される動画像信号を記録するように上記記録処理手段の記録動作を制御する制御手段とを備えた画像記録装置。
【請求項３】
上記画像保持手段は、上記静止画像信号の記録終了後における複数の連続する所定期間からも間欠的に画像信号を抽出して保持するようにした請求項１記載の画像記録装置。
【請求項４】
上記画像保持手段は、上記静止画像信号の記録終了後における複数の連続する所定期間の画像信号も保持するようにした請求項２記載の画像記録装置。
【請求項５】
上記画像保持手段は、画像信号をブロックに分割し、分割されたブロックの並び替えを行うようにした請求項１又は２記載の画像記録装置。
【請求項６】
上記画像保持手段及び上記記録処理手段で扱われる画像信号が圧縮符号化された画像データであることを特徴とする請求項１又は２記載の画像記録装置。
【発明の詳細な説明】
【０００１】
【発明の属する技術分野】
本発明は、動画像信号を記録する途中で静止画像信号を挿入して記録するようにした画像記録装置に関するものである。
【０００２】
【従来の技術】
従来より、ビデオカメラ等から入力される動画像情報をディジタル記録する場合、動画像を画面単位内で、例えば各フレーム内で符号化を行い、記録媒体に順次記録していく方法が用いられている。この方法で記録された動画像の再生中に、これらの動画像情報から静止画情報を得て、例えば印刷出力したり、テレビジョン画面に出力表示したりする場合、従来では動画像を再生出力する過程でフレーム・メモリに取り込まれた１フレーム分の画像情報を抽出して、その抽出されたデータを静止画像として扱うようにしていた。このとき、データ読み取りのエラーやドロップアウトによって所望の静止画像が完全に再生できないなどの問題を生じていた。そこで最近では、より整った静止画像を再生するために、動画像を記録している途中において、記録しておきたい１フレーム分の静止画像を数フレーム分繰り返して記録媒体に記録する方法が用いられるようになってきている。
【０００３】
図４は１フレーム分の静止画像データを動画像５フレーム分の領域に記録する様子を示すものである。
図４において、記録中に静止画として記録したい場面が現れた時（この場合フレームＮｏ．３）、静止画記録スイッチを押すことによって、フレームＮｏ．３の位置Ａから動画像５フレーム分の期間に同じ静止画の記録が行われる。この５フレーム分の静止画像を記録した後、Ｆの位置にあたるＮｏ．８フレームからの記録を再開し、引き続き動画像の記録を継続するようにしている。
【０００４】
【発明が解決しようとする課題】
しかしながら、図４に示されるように、静止画像の記録によってＢからＥの位置にフレームＮｏ．３の画像が記録され、フレームＮｏ．４〜Ｎｏ．７の画像が欠落する、このため再生時にフレームＮｏ．３からＮｏ．８の画面に突然飛び、画像の連続性が乱れるという問題があった。
【０００５】
本発明は、動画像記録の途中で同じ静止画像を繰り返し記録する画像記録装置において、再生時に動画像の連続性の乱れを低減することを目的としている。
【０００６】
【課題を解決するための手段】
請求項１の発明においては、所定期間毎に連続する画像信号として入力される動画像信号を記録媒体に記録する処理を行うと共に、上記動画像信号の記録中に上記連続する画像信号から指定された１つの画像信号を静止画像信号として複数の上記所定期間に繰り返して上記記録媒体に記録する処理を行う記録処理手段と、上記静止画像信号を繰り返し記録する間に入力される動画像信号から間欠的に画像信号を抽出して保持する画像保持手段と、上記静止画像信号の記録終了後に、上記画像保持手段から読み出した間欠的な動画像信号を記録してから、連続的に入力される動画像信号を記録するように上記記録処理手段の記録動作を制御する制御手段とを設けている。
【０００７】
請求項２の発明においては、所定期間毎に連続する画像信号として入力される動画像信号を記録媒体に記録する処理を行うと共に、上記動画像信号の記録中に上記連続する画像信号から指定された１つの画像信号を静止画像信号として複数の上記所定期間に繰り返して上記記録媒体に記録する処理を行う記録処理手段と、上記静止画像信号を繰り返し記録する間に入力される動画像信号を保持する画像保持手段と、上記静止画像信号の記録終了後に、上記画像保持手段に保持された動画像信号を用いて間欠的な動画像信号の記録を行ってから、連続的に入力される動画像信号を記録するように上記記録処理手段の記録動作を制御する制御手段とを設けている。
【０００８】
【作用】
本発明によれば、動画像の記録途中で静止画像を繰り返し記録する場合、その静止画像の記録終了後に、静止画像の記録中における動画像から間欠的に抽出した画像を画像保持手段から取り出して記録することにより、再生時において再生静止画像から再生動画像への連続性の乱れを低減することができる。
【０００９】
【発明の実施の形態】
図１は本発明を原理的に示すものである。
この例では、入力されるフレームＮｏ．１〜１２の動画像データを記録媒体に記録する場合、Ｎｏ．１、２を記録した後、Ｎｏ．３のフレームが指定されると、このＮｏ．３のフレームが５フレームにわたって静止画像として繰り返し記録される。この５フレーム期間時入力されるＮｏ．４〜７及びその後に入力されるＮｏ．８〜１１のフレームからＮｏ．５、７、９、１１のフレームを間欠的に抽出して、上記５フレーム期間の静止画像記録終了後に記録するようにしている。
【００１０】
このようにして記録された記録媒体を再生すれば、静止画像記録期間による再生画像の連続性の乱れを従来の図４の場合に比べて低減することができる。また、静止画像記録終了後におけるＮｏ．９、１１のフレームを記録することにより、Ｎｏ．１２からスムーズに完全な連続性に戻すことができる。尚、上記フレームの間欠的な抽出は、後述する図２の実施の形態で説明するようにメモリの書き込み、又は読み出しを制御することにより行われる。
【００１１】
図２は図１で説明したようなフレームの順序で、動画像情報を記録中に５フレーム分の静止画像情報を挿入記録し、その後に続く動画像との時間的な不連続を少くした画像記録装置の本発明による実施の形態を示すものである。図２において、１０１は画像データ入力端子、１０２はデータの書き込みメモリを選択するスイッチ（ＳＷａ）である。１０３、１０４はフレームメモリ等の画像メモリ（ＦＭａ、ＦＭｂ）であり、データを圧縮する際に効率を上げるため画像をブロックに分割しブロックの並べ変えを行う。１０５はデータを読み出すメモリを選択するスイッチ（ＳＷｂ）、１０６は符号化回路であり、直交変換や量子化を行ってデータ圧縮符号化する。１０７は圧縮データの書き込みメモリを選択するスイッチ（ＳＷｃ）である。１０８、１０９は符号化回路１０６で圧縮されたデータを記憶するフレームメモリ等の画像メモリ（ＦＭｃ、ＦＭｄ）であり、早送り再生時に再生画が見やすくなるように元の画面の配列に並び変える動作をする。１１０は圧縮データを読み出すメモリを選択するスイッチ（ＳＷｄ）である。１１１はデータに誤り訂正符号や同期信号等記録に必要な信号を付加する記録処理回路、１１２は磁気ヘッド等で記録される磁気記録媒体である。１１４は各スイッチの切り換えや各メモリの書き込み、読み出しの切り換え及びアドレス制御等を行う制御回路、１１３は静止画像として記録したい場面が現れた時に動画像の数フレーム分の期間に静止画像が記録されるように指示する静止画撮影スイッチである。
【００１２】
以上のように構成された画像記録装置の動作を、図２、図３を用いて説明する。図２において、画像データ入力端子１０１にはビデオカメラ等から連続した動画像情報が入力されている。撮影者が動画像を記録している場合にはスイッチＳＷａ１０２を介して、画像メモリＦＭａ１０３、画像メモリＦＭｂ１０４に交互にデータが記憶され、ブロックの並べ変えが行われてデータが読み出される。このとき連続するフレームはすべてメモリに取り込まれ、読み出される。スイッチＳＷｂ１０５で選択し、読み出されたデータは符号化回路１０６でデータ圧縮されスイッチＳＷｃ１０７を介して画像メモリＦＭｃ１０８、画像メモリＦＭｄ１０９に交互にデータが記憶され、ブロックの並べ変えを元に戻すように並べ変える。動画像を記録している場合には、データがスイッチＳＷｄ１１０で選択され、記録処理回路１１１で記録処理されて記録媒体１１２上に入力フレーム順に記録される。
【００１３】
動画像情報の記録中に静止画撮影スイッチ１１３を操作すると、制御回路１１４は動画像を記録している場合とは異なるシーケンスの命令がスイッチ類やメモリに送られる。図３は順に入力されるフレームのうち、例としてＮｏ．３のフレームを５フレーム分の静止画像情報として挿入記録する場合の各画像メモリに記録されているデータのフレームＮｏを示している。Ｎｏ．３のフレームを取り込んだ後、Ｎｏ．５、Ｎｏ．７、Ｎｏ．９、Ｎｏ．１１と間欠的に取り込みを行う。図３において矢印はデータの移動を示しているが、＊印はどのようなデータでも良いのでＮｏ．４、Ｎｏ．６、Ｎｏ．８の取り込みは行い、その後の処理は行わないという動作でも良い。画像メモリＦＭａ１０３、画像メモリＦＭｂ１０４の書き込み、読み出しと、画像メモリＦＭｃ１０８、画像メモリＦＭｄ１０９の書き込みを間欠的に行うことにより、画像メモリを追加すること無く、Ｎｏ．３の５フレーム分の静止画像情報の記録後の動画像情報がＮｏ．５、Ｎｏ．７、Ｎｏ．９、Ｎｏ．１１となり、従来例のＮｏ．３からいきなりＮｏ．８が記録されるよりも、再生時に再生画像がスムーズになる。
【００１４】
本実施の形態によれば、動画像信号を記録媒体にディジタル記録するように成され、記録される動画像情報の連続する画面中の１画面を静止画像情報としてＮ回連続して記録するように成された画像信号記録装置において、静止画像情報の取り込み後の動画像を間欠的にメモリへ書き込み、あるいは読み出しを行い、静止画像情報のＮ回連続した記録のあとの所定期間は間欠的な動画像情報を記録媒体に記録することにより、再生時における画面の連続性の乱れを少なくすることができる。
【００１５】
【発明の効果】
以上説明したように本発明によれば、動画像信号の連続する画面中の１画面を静止画像信号として複数回繰り返して記録する場合において、上記静止画像信号の取り込み後の動画像を静止画像信号の記録のあとに間欠的に記録するようにしたことにより、画像メモリを追加すること無く、再生時における画面の連続性の乱れを少なくすることができる。
【図面の簡単な説明】
【図１】本発明を原理的に説明するための構成図である。
【図２】本発明の実施の形態を示すブロック図である。
【図３】本発明の実施の形態の動作を示す構成図である。
【図４】従来の動画像と静止画像の記録の様子を示す構成図である。
【符号の説明】
１０２、１０５、１０７、１１０  スイッチ
１０３、１０４、１０８、１０９  画像メモリ
１０６  符号化回路
１１１  記録処理回路
１１２  記録媒体
１１３  静止画撮影スイッチ
１１４  制御回路
【図１】
0003740206.tif 000002
【図２】
0003740206.tif 000003
【図３】
0003740206.tif 000004
【図４】
0003740206.tif 000005